(57)【特許請求の範囲】
【請求項１】
浴槽の底面の一部分を他の部分よりも下げた凹部に浴槽外部に通じる通水用開口部を開設し、凹部を覆蓋する取外し可能な覆い部材で開口部を覆うようにした浴槽通水用開口部の覆い構造において、
浴槽及び覆い部材のいずれか一方に設けた軸受部に他方に設けた枢軸部を軸着させて、覆い部材を覆蓋状態となる伏倒状態から起立状態へ揺動自在とし、
軸受部に枢軸通過用切欠き部を設けて、覆い部材が伏倒状態のときには枢軸通過用切欠き部へ枢軸部を通過させることができず、覆い部材が伏倒状態から取外し可能角度状態へ起きたときには枢軸通過用切欠き部へ枢軸部を通過させることができるようにしたことを特徴とする浴槽通水用開口部の覆い構造。
【請求項２】
覆い部材は、覆蓋状態のときに足先の触れる荷重領域を、軸着中心より揺動先端寄りへ位置させてある請求項１記載の浴槽通水用開口部の覆い構造。
【請求項３】
覆蓋状態の覆い部材の側面部と凹部の側面部の間に、浴槽の内側から凹部の内側へ覆い部材を揺動操作するための手先の挿入を可能にする揺動操作用間隙を形成した請求項１又は２記載の浴槽通水用開口部の覆い構造。
【発明の詳細な説明】
【技術分野】
【０００１】
本発明は、浴槽内に形成された排水栓付き排水口等の通水用開口部を取外し自在な覆い部材で覆う浴槽通水用開口部の覆い構造に関するものである。
【背景技術】
【０００２】
従来、浴槽通水用開口部の覆い構造には、浴槽の底面の一部分を他の部分よりも下げた凹部に排水栓付き排水口等の通水用開口部を開設し、凹部の開口周縁に目皿を単に載置し又は凹部内にキャップ状の目皿部材を取外し可能に嵌着して凹部を覆うことで、凹部へ足指を突っ込まないようにすると共に通水用開口部を浴槽内側から見えないようにしたものがある（特許文献１）。
【先行技術文献】
【特許文献】
【０００３】
【特許文献１】特開２０１０−７５４２３号公開公報
【発明の概要】
【発明が解決しようとする課題】
【０００４】
ところで、凹部の開口周縁に目皿を単に載置した構造では、入浴者の足先等が目皿に触れると目皿が簡単に横移動したり、浴槽内における浴槽湯の移動により目皿が横移動したりすることがあり、目皿で覆われない凹部へ足指を突っ込む問題がある。
【０００５】
また、凹部内に取外し可能にキャップ状の目皿部材を嵌着した構造では、入浴者の足先等が目皿部材に触れても目皿部材の横移動はないが、通水用開口部の点検等のためにキャップ状の目皿部材を取外したいとき、目皿部材に手先を引っ掛けることが困難なために専用の取外工具が必要となり、外し作業に手間を要する問題がある。
【０００６】
本発明は、上記問題を解決するために、凹部を覆う覆い部材に入浴者の足先等が触れても覆い部材を横移動させることのない浴槽通水用開口部の覆い構造、更に通水用開口部に対する点検等の操作のために覆い部材を取外したいときに手先で簡単に覆い部材を取外すことができる浴槽通水用開口部の覆い構造を提供しようとするものである。
【課題を解決するための手段】
【０００７】
凹部を覆う覆い部材に入浴者の足先等が触れても覆い部材を横移動させないようにするために請求項１記載の本発明が採用した手段は、浴槽の底面の一部分を他の部分よりも下げた凹部に浴槽外部に通じる通水用開口部を開設し、凹部を覆蓋する取外し可能な覆い部材で開口部を覆うようにした浴槽通水用開口部の覆い構造において、浴槽及び覆い部材のいずれか一方に設けた軸受部に他方に設けた枢軸部を軸着させて、覆い部材を覆蓋状態となる伏倒状態から起立状態へ揺動自在とし、軸受部に枢軸通過用切欠き部を設けて、覆い部材が伏倒状態のときには枢軸通過用切欠き部へ枢軸部を通過させることができず、覆い部材が伏倒状態から取外し可能角度状態へ起きたときには枢軸通過用切欠き部へ枢軸部を通過させることができるようにしたことを特徴とする浴槽通水用開口部の覆い構造である。
【０００８】
前記枢軸部は、外周面の一部を円弧面にすると共に他の部分を弦状の平坦面にして薄肉域を形成し、前記軸受部の枢軸通過用切欠き部へ該薄肉域を通過させるようにすることもある。
【０００９】
請求項１記載の本発明にあっては、覆い部材が伏倒状態のときには、枢軸通過用切欠き部へ枢軸部を通過させることができないために覆い部材の軸着状態を維持させ、入浴者の足先等が覆い部材に触れても覆い部材を横移動させることもなく、また、覆い部材を取外し可能角度状態へ起こしたまま枢軸通過用切欠き部へ枢軸部を通過させるように移動させて軸着状態を解除して覆い部材を取外すことで、通水用開口部に対する点検等の操作が可能となる。逆に、取外した覆い部材を取外し可能角度状態にしたまま枢軸通過用切欠き部へ枢軸部を通過させることで、覆い部材を揺動自在な軸着状態にすることができる。
【００１０】
覆い部材を足先で踏んだとしても覆い部材を不意に起立揺動させないようにするために請求項２記載の本発明が採用した手段は、覆い部材は、覆蓋状態のときに足先の触れる荷重領域を、軸着中心より揺動先端寄りへ位置させてある請求項１記載の浴槽通水用開口部の覆い構造である。
【００１１】
請求項２記載の本発明にあっては、荷重領域に加わった足先の垂直荷重が、覆い部材を伏倒させる方向へ作用する。
【００１２】
覆い部材の揺動操作を容易にするために請求項３記載の本発明が採用した手段は、覆蓋状態の覆い部材の側面部と凹部の側面部の間に、浴槽の内側から凹部の内側へ覆い部材を揺動操作するための手先の挿入を可能にする揺動操作用間隙を形成した請求項１又は２記載の浴槽通水用開口部の覆い構造である。
【００１３】
請求項３記載の本発明にあっては、揺動操作用間隙へ挿入した手先で覆い部材を揺動させて起こすことができる。
【発明の効果】
【００１４】
請求項１記載の本発明に係る浴槽通水用開口部の覆い構造は、凹部を覆う覆い部材に入浴者の足先等が触れても覆い部材を横移動させることなく、また、通水用開口部に対する点検等の操作のために覆い部材を取外したいときには、覆い部材を取外し可能角度状態へ起こしたまま移動させて軸着状態を解除することで覆い部材を取外すことができるため、使い勝手が良い。
【００１５】
請求項２記載の本発明に係る浴槽通水用開口部の覆い構造は、覆い部材を足先で踏んだとしても覆い部材を不意に起立揺動させることもなく、安全である。
【００１６】
請求項３記載の本発明に係る浴槽通水用開口部の覆い構造は、揺動操作用間隙へ挿入した手先で覆い部材の揺動操作を容易にすることができる。
【図面の簡単な説明】
【００１７】
【図１】本発明に係る浴槽通水用開口部の覆い構造（以下、「本発明覆い構造」と言う。）の第１の実施の形態を示すものであって、浴槽２の内側２ｄを斜め上方から見た斜視図である。
【図２】第１の実施の形態において、凹部３を覆い部材５で覆蓋して通水用開口部４を覆った状態を示す平面図である。
【図３】図２のＣ３−Ｃ３で断面した側面図である。
【図４】図２のＣ４−Ｃ４で断面した側面図である
【図５】第１の実施の形態において、覆い部材５を取外し可能角度状態Ｂを実線で示すと共に、取外した状態の覆い部材５を二点鎖線で示す側面図である。
【図６】第１の実施の形態において、覆い部材が取外された状態の凹部３を示す平面図である。
【図７】第１の実施の形態における覆い部材５を示すものであって、図（Ａ）は平面図、図（Ｂ）は図（Ａ）のＣｂ−Ｃｂで断面した側面図、図（Ｃ）は図（Ａ）のＣｃ−Ｃｃで断面した側面図、図（Ｄ）は背面図である。
【図８】第１の実施の形態において、覆い部材５を足先で踏みつけている状態を示すものであって、図（Ａ）は全体の斜視図、図（Ｂ）は図（Ａ）のＣｂで断面した要部の側面図、図（Ｃ）は図（Ａ）のＣｃで断面した要部の側面図である。
【図９】本発明覆い構造の第２の実施の形態を示すものであって、図（Ａ）は凹部３を覆い部材５で覆蓋した状態において覆い部材５を一部破断して示す平面図、図（Ｂ）は図（Ａ）のＣｂ−Ｃｂで断面した側面図であって、取外し可能角度状態Ｂの覆い部材５を二点鎖線で示すものである。
【図１０】第２の実施の形態を示すものであって、図（Ａ）は図９（Ａ）のＣ１０−Ｃ１０で断面した側面図であって覆い部材５を揺動操作するための手先を二点鎖線で示し、図（Ｂ）は覆い部材５を取外し可能角度状態Ｂを実線で示すと共に、取外した状態の覆い部材５を二点鎖線で示す側面図である。
【図１１】第２の実施の形態における覆い部材５を示す斜視図である。
【図１２】本発明覆い構造の第３の実施の形態を示すものであって、覆い部材５の伏倒状態Ａを実線で示すと共に、取外し可能角度状態Ｂの覆い部材５を二点鎖線で示す側面図である。
【図１３】本発明覆い構造の第４の実施の形態を示すものであって、覆い部材５の伏倒状態Ａを実線で示すと共に、取外し可能角度状態Ｂの覆い部材５を二点鎖線で示す側面図である。
【図１４】本発明覆い構造の第５の実施の形態を示すものであって、図（Ａ）は凹部３を覆い部材５で覆蓋した状態を示す平面図、図（Ｂ）は図（Ａ）のＣｂ−Ｃｂで断面した側面図である。
【発明を実施するための形態】
【００１８】
本発明に係る浴槽通水用開口部の覆い構造（以下、「本発明覆い構造」と言う。）を図面に示す実施形態に基づいて説明する。
【００１９】
（第１の実施の形態）
図１乃至図８は本発明覆い構造の第１の実施の形態を示すものであり、本実施の形態に係る本発明覆い構造１は、図３に示す如く、浴槽２の底面部２ａの一部分を他の部分よりも下げた凹部３の底面部３ｅに浴槽外部に通じる通水用開口部４を開設し、凹部３を覆蓋する取外し可能な覆い部材５で通水用開口部４を覆うようにしたものである。通水用開口部４は、本例では排水栓を備えた排水路からなるが、浴槽湯を循環させる循環口具や、浴槽湯を洗濯機へ導くための栓体のない排水路等が選択されることも、又はこれらを任意に組み合わせることもある（後述する第２乃至第５の実施の形態においても同様である）。凹部３は、図１乃至図３に示す如く、浴槽２の後側面部２ｂの際に設けられ、後側面部３ｄを除く他の側面部３ａ，３ｂ，３ｃに形成した段部３ａ’，３ｂ’，３ｃ’に覆蓋状態の覆い部材５を載置できるようにして、後述する軸着箇所に過度の荷重を加えないようにしてある。本例の凹部３は、浴槽２の後側面部２ｂ側に設けた左右の手摺り２ｃ，２ｃ（図１参照）の間に設けられ、覆蓋状態の覆い部材５に入浴者の臀部が乗らないようにしてある。
【００２０】
本発明覆い構造１は、図２乃至図５に示す如く、浴槽凹部３に設けた左右両側の枢軸部７，７に、覆い部材５の左右両側の後側寄りに設けた軸受部６，６を軸着させて、覆い部材５を覆蓋状態となる伏倒状態Ａ（図３の実線）から起立状態となる取外し可能角度状態Ｂ（図５の実線）へ経て浴槽２の後側面部２ｂに立掛けた起立状態となる立掛け状態Ｃ（図３の二点鎖線）まで揺動できるようにしてある。覆い部材５は、湯中で浮き上がり揺動しないように比重が水より大きい合成樹脂素材や金属素材等で成形され、覆蓋状態の覆い部材５の側面部５ｄと凹部３の側面部３ｄの間に、浴槽内側２ｄから凹部３の内側へ覆い部材５を揺動操作するための手先の挿入を可能にする揺動操作用間隙８を形成する大きさとなっている。前記凹部３に設けた左右両側の枢軸部７，７は、凹部３の左右の側面部３ａ，３ｂから側面部３ａ，３ｂと一体に突設させるか、側面部３ａ，３ｂと別体に形成して側面部３ａ，３ｂに接着又は螺子止め等で付設させる。
【００２１】
本発明覆い構造１は、覆い部材５を取外し可能角度状態Ｂ（図５参照）にしたときにのみ容易に着脱できるように、図６及び図８（Ｂ）に示す如く、浴槽側の枢軸部７の外周面の上下両側の一部を円弧面７ａ，７ａにすると共に他の左右二箇所の部分を起立した弦状で平行な平坦面７ｂ，７ｂにして薄肉域７ｃを形成すると共に、覆い部材側の軸受部６，６の各々に半径方向へ延びるスリット状の枢軸通過用切欠き部６ａを内周面（軸受け面）６ｂに開口させ、覆い部材５が伏倒状態Ａ（図８（Ｂ）、図３、図４参照）のときには枢軸通過用切欠き部６ａへ枢軸部７の薄肉域７ａを通過させることができずに軸着状態を維持させ、覆い部材５が取外し可能角度状態Ｂ（図５参照）のときには枢軸通過用切欠き部６ａへ枢軸部７の薄肉域７ａを通過させて覆い部材５を凹部３に対して着脱できるようにしてある。
【００２２】
前記覆い部材５は、図３に示す如く、伏倒状態Ａのときに通水用開口部４と対面する裏面側に窪み部５ａを形成して、通水用開口部４である排水栓の栓体４ａを遠隔操作で上昇させたときに、窪み部５ａへ栓体４ａを侵入させて栓体の開口度合いを大きくできるようにしてある。
【００２３】
本発明覆い構造１は、図８に示す如く、伏倒状態Ａの覆い部材５を足先で踏んだとしても覆い部材５を不意に起立方向へ揺動させないようにするために、覆蓋状態の覆い部材５の足先の触れる載荷領域５ｂを軸着中心（揺動中心）Ｄより揺動先端５ｃ寄りへ位置させてある。荷重領域５ｂにおける軸着中心（揺動中心）Ｄ寄りの端部５ｂ’は、軸受部６との間に設けた段部５ｅで形成して（同図（Ｂ）参照）軸受部６に足先が触れないようにすると共に、左右の軸受部６の間に形成して（同図（Ｃ）参照）ある。この構造では、覆い部材５の載荷領域５ｂに加わった足先の垂直荷重が覆い部材５を伏倒させる方向へのみ作用することになり、覆い部材５を不意に起立方向（開く方向）へ揺動させることもなく安全である。
【００２４】
本発明覆い構造１は、覆い部材５が伏倒状態Ａ（図８（Ｂ）参照）のときには、軸受部６の枢軸通過用切欠き部６ａへ枢軸部７を通過させない覆い部材５の軸着状態を維持しているため、入浴者の足先等が覆い部材５に触れても覆い部材５を前後左右へ横移動させることもなく、また、揺動操作用間隙８へ挿入した手先で覆い部材５を取外し可能角度状態Ｂ（図５参照）や立掛け状態Ｃ（図３の二点鎖線を参照）にしたときには、凹部３の内側を観察でき、更に、覆い部材５を取外し可能角度状態Ｂ（図５参照）にしたまま枢軸通過用切欠き部６ａへ枢軸部７の薄肉域７ａを通過させて覆い部材５を取外したときには、通水用開口部（排水栓）４に対する点検等の操作が可能となる。逆に、本発明覆い構造１は、取外した覆い部材５を取外し可能角度状態Ｂ（図５参照）にしたまま枢軸通過用切欠き部６ａへ枢軸部７の薄肉域７ａを通過させることで、覆い部材５を揺動自在な軸着状態にすることができる。その結果、本発明覆い構造１は、凹部３を覆う覆い部材５に入浴者の足先等が触れても覆い部材５を横移動させることなく安全を維持することができ、また、手先で簡単に覆い部材５を取外して通水用開口部（排水栓）４に対する点検等の操作が簡単にできるので使い勝手が良い。
【００２５】
（第２の実施の形態）
図９乃至図１１に示す第２の実施の形態に係る本発明覆い構造２１は、凹部３に設けた枢軸部２７と覆い部材５に設けた軸受部２６が前記第１の実施の形態と大きく異なり、その他の部分については第１の実施の形態と実質的に同一であり、図９乃至図１１において第１の実施の形態を示す図１乃至図８と同一符号は相当部分を示している。
【００２６】
浴槽２の凹部３に設けた枢軸部２７，２７の各々は、外周面の一部を中心角が１８０°以上の円弧面２７ａにすると共に他の部分を弦状の平坦面２７ｂにして薄肉域２７ｃを形成し、平坦面２７ｂを後方へ向かって下り傾斜させてある。
【００２７】
覆い部材５は、後側面部５ｄを後方へ向かって下り傾斜させ、後側面部５ｄの左右両側に軸受部２６，２６を凹設してある。各軸受部２６は、内周面を中心角が略１８０°の円弧面２６ｂにして、円弧面２６ｂ以外の部分を枢軸通過用切欠き部２６a としてある。覆い部材５は、伏倒状態Ａのときには、軸受部２６の円弧面２６ｂが枢軸部２７の円弧面２７ａの下面側を覆うことで、前後移動できない状態となる。なお、覆い部材５は、裏面の後方寄りに摘み部５ｆを突設させて手先で摘み易くしてある。
【００２８】
本発明覆い構造２１は、覆い部材５が伏倒状態Ａのときには、軸受部２６の枢軸通過用切欠き部２６ａへ枢軸部２７を通過させない覆い部材５の軸着状態を維持しているため、入浴者の足先等が覆い部材５に触れても覆い部材５を横移動させることもなく、また、揺動操作用間隙８へ挿入した手先（図１０（Ａ）参照）で覆い部材５を取外し可能角度状態Ｂにしたときには、凹部３の内側を観察でき、更に、覆い部材５を取外し可能角度状態Ｂにしたまま枢軸通過用切欠き部２６ａへ枢軸部２７の薄肉域２７ａを通過させて覆い部材５を取外したとき（図１０（Ｂ）の二点鎖線参照）には、通水用開口部（排水栓）４に対する点検等の操作が可能となる。逆に、本発明覆い構造２１は、取外した覆い部材５を取外し可能角度状態Ｂにしたまま軸受部２６の枢軸通過用切欠き部２６ａへ枢軸部２７の薄肉域２７ａを通過させることで、覆い部材５を揺動自在な軸着状態にすることができる。本実施の形態に係る本発明覆い構造２１は、取外し可能角度状態Ｂにすることができる角度範囲を、前記第１の実施の形態に係る本発明覆い構造１の場合に比べ大きくすることができる。
【００２９】
本発明覆い構造２１は、覆い部材５の後側面部５ｄを後方へ向かって下り傾斜させてあるため、覆蓋状態の覆い部材５の足先の触れる載荷領域５ｂの後端部５ｂ’が軸着中心（揺動中心）Ｄより揺動先端５ｃ寄りに位置するため、伏倒状態Ａの覆い部材５を足先で踏んだとしても覆い部材５を不意に揺動させることもなく、安全である。
【００３０】
（第３の実施の形態）
図１２に示す第３の実施の形態に係る本発明覆い構造３１は、浴槽２の後側面部２ｂから離れる手前側に、凹部３の枢軸部７を設けると共に覆い部材５の軸受部６を設け、覆い部材５の後方側を揺動先端５ｃ側とした点が前記第１の実施の形態と大きく異なり、その他の部分については第１の実施の形態と実質的に同一であり、図１２において第１の実施の形態を示す図１乃至図８と同一符号は相当部分を示している。
【００３１】
（第４の実施の形態）
図１３に示す第４の実施の形態に係る本発明覆い構造４１は、浴槽２の後側面部２ｂから離れる手前側に、凹部３の枢軸部２７を設けると共に覆い部材５の軸受部２６を設け、覆い部材５の後方側を揺動先端５ｃ側とした点が前記第２の実施の形態と大きく異なり、その他の部分については第２の実施の形態と実質的に同一であり、図１３において第２の実施の形態を示す図９乃至図１１と同一符号は相当部分を示している。
【００３２】
（第５の実施の形態）
図１４に示す第５の実施の形態に係る本発明覆い構造５１は、凹部３の左右に軸受部６を設けると共に、覆い部材５に枢軸部７を設けた点が前記第１の実施の形態と大きく異なり、その他の部分については第１の実施の形態と実質的に同一であり、図１４において第１の実施の形態を示す図１乃至図８と同一符号は相当部分を示している。
【００３３】
（その他の実施の形態）
図１２に示す第３の実施の形態の本発明覆い構造３１は、軸受部６を凹部３に設ける共に枢軸部７を覆い部材５に設ける態様に変更することも可能である。
また、図９乃至図１１に示す第２の実施の形態の本発明覆い構造２１及び図１3 に示す第４の実施の形態の本発明覆い構造４１は、軸受部２６を凹部３に設けると共に、覆い部材５に枢軸部２７を設ける態様に変更することも可能である。
【符号の説明】
【００３４】
１（２１，３１，４１，５１）…本発明覆い構造、２…浴槽、２ａ…底面部、２ｂ…後側面部、２ｃ…手摺り、２ｄ…内側、３…凹部、３ａ…左側面部、３ｂ…右側面部、３ｃ…前側面部、３ｄ…後側面部、３ａ’…左段部、３ａ’…右段部、３ｃ’…前段部、３ｅ…底面部、４…通水用開口部、４ａ…栓体、５…覆い部材、５ａ…窪み部、５ｂ…載荷領域、５ｂ’…荷重領域の端部、５ｃ…揺動先端、５ｄ…後側面部、５ｅ…段部、５ｆ…摘み部、６（２６）…軸受部、６ａ（２６ａ）…枢軸通過用切欠き部、６ｂ（２６ｂ）…内周面、７（２７）…枢軸部、７ａ（２７ａ）…円弧面、７ｂ（２７ｂ）…弦状の平坦面、７ｃ（２７ｃ）…薄肉域、８…揺動操作用間隙、Ａ…伏倒状態、Ｂ…取外し可能角度状態、Ｃ…立掛け状態、Ｄ…軸着中心
【図１】
0005528317.tif 000002
【図２】
0005528317.tif 000003
【図３】
0005528317.tif 000004
【図４】
0005528317.tif 000005
【図５】
0005528317.tif 000006
【図６】
0005528317.tif 000007
【図７】
0005528317.tif 000008
【図８】
0005528317.tif 000009
【図９】
0005528317.tif 000010
【図１０】
0005528317.tif 000011
【図１１】
0005528317.tif 000012
【図１２】
0005528317.tif 000013
【図１３】
0005528317.tif 000014
【図１４】
0005528317.tif 000015